(57)【特許請求の範囲】
【請求項１】
四面立体袋体が、第１側面シーム又は第１側面折り曲げ部、前記第１側面シーム又は前記第１側面折り曲げ部に対向する第２側面シーム又は第２側面折り曲げ部、前記袋体の上辺部内面に設けられた開封又は封止可能なファスナー、及び前記ファスナーに対向して前記袋体の開口した下部側面によって形成され、前記ファスナーが封止され、包装物が前記開口した下部側面から前記封止したファスナー方向に挿入され、前記包装物が前記袋体の内部におかれた状態で、前記開口した下部側面を封止して、前記袋体に前記ファスナーと直交する方向に第３側面シームを形成して、前記ファスナーを開封して前記包装物を前記袋体の前記内部に挿入し、前記包装物を前記袋体に四面立体状態で包装し、前記ファスナーを封止した前記状態では、前記袋体を四面立体形状に維持かつ保持する四面立体包装方法。
【請求項２】
請求項１に記載の四面立体包装方法において、前記第１側面シーム及び前記第２側面シームは、電磁誘導加熱、あるいは、超音波加熱から選択される熱融着によって封止した四面立体包装方法。
【請求項３】
請求項１に記載の四面立体包装方法において、前記袋体に第４側面シームを前記ファスナーの上方に形成した四面立体包装方法。
【請求項４】
四面立体袋体が、指で引き裂き可能な第１側面シーム又は第１側面折り曲げ部と、前記第１側面シーム又は前記第１側面折り曲げ部に対向する引き裂き可能な第２側面シーム又は第２側面折り曲げ部と、前記袋体の上辺部内面に設けられた開封又は封止可能なファスナー、及び前記ファスナーに対向して前記袋体の開口した下部側面によって形成され、前記開口した下部側面を封止して、前記袋体に前記ファスナーと直交する方向に第３側面シームを形成して、前記ファスナーを開封して前記包装物を前記袋体の前記内部に挿入し、前記包装物を前記袋体に四面立体状態で包装し、前記ファスナーを封止した前記状態では、前記袋体を四面立体形状に維持かつ保持する四面立体包装方法。
【発明の詳細な説明】
【技術分野】
【０００１】
本発明は、合成樹脂シートやラミネートされた薄い紙等から成形される四面立体包装体（トラス状立体包装体）及び四面立体包装方法に関するもので、詳しくは食物等の内容物の一部を開封部から取り出した後に、再び開封部を密閉すれば、残余の内容物を収納した状態で、再び初期のトラス状立体包装の状態で保形的に密封できる四面立体包装体及び四面立体包装方法に関するものである。
【背景技術】
【０００２】
従来、四面立体包装体は、平袋に比較し、シート面積が最小で最大の内容積の包装体を得ることができるので、飲料の特に牛乳パックや一口サイズのつまみ包装等に使用されている。
前者の牛乳パックは、内面がラミネートされた硬質の紙でできており、上方に開けた小孔にストローを差し込んで飲むようになっているのが殆どで、指等で開封して飲むようにはなっていない。
後者のキオスク（登録商標）等で販売されている一口サイズのつまみ包装体は、薄い合成樹脂シートで成形された四面立体包装体の一部を引き裂いて開封し、内容物を取り出して食するようになっている。
四面立体状の包装体は、前述のように、平袋に比して内容積が最大で、しかもトラス構造であることから強度が大きく、外力に対して潰れ難いという特長を有している。
従って、積み重ね保管中や輸送中に潰れて損傷し、収納物の品質を著しく損なう食物等の包装に好適であるといえる。
本発明者は、この薄いシートから構成される四面立体包装体を指で開封容易にし、引き裂いて開封したときに皿形になり、そのまま容器としても使用できる包装体をＷＯ２００７／１１９７８０Ａ１号特許公報で提案している。
ＷＯ２００７／１１９７８０Ａ１号特許公報記載の発明は、開封したときに包装体がそのまま皿になるので、食器類を使用することなく食することができる。食器類を洗う必要がなく、手間が省けると共に、洗剤や水も節約できるもので環境に易しいものとなっている。
又、平袋で使用されている発泡スチロール製のトレイが不要になり、トレイの使用に起因する環境破壊や廃棄処分に掛かるコスト、とりわけ焼却による炭酸ガスの放出が抑えられ、更に包装体そのものの輸送性が向上する画期的な発明といえる。
しかしながら、ＷＯ２００７／１１９７８０Ａ１号特許公報に記載の発明の四面立体包装体は、開封ガイドに沿って開封した後は封止することができないので、残った食物については、別の密封容器等に移し替えて保存することが余儀なくされている。
最近では、大勢の家族で食するために大きなサイズの包装体も出回るようになってきたが、これと同時に食べ残しが生じ、食べ残した食物を、その新鮮さとその形を維持或いは保持しつつ包装できる四面立体包装体の提供が望まれている。
一方、食材や食物の保存或いは食べ残した食物を冷蔵あるいは冷凍で保存するものとして、開口部に何度でも開封と封止（閉止）できるファスナーを設けた平袋が提案され、広く使用されている。
しかし、平袋では、立体収納空間を形成することができないので、内部に収納した食物等が潰れてしまう虞を有する。
従って、このファスナー付き平袋にあっては、潰れても特に問題のない食材、食物の保存に使用されるに留まっているのが実情である。
本発明は前記課題に着目し、開封して内容物の一部を取り出した後、再び閉止したときに、元の四面立体形状に容易に保持して封止することができ、収納された食物等の潰れを防止し、新鮮さを保持するようにした四面立体包装体又は四面立体包装方法を提供することを第１の目的としてなされたものである。
加えて本発明は、切り裂き開封することにより、そのまま皿として使用することを選択したり、小出しにし、食べ残しの食物をそのまま四面立体包装で保存することを選択して使用できる四面立体包装体又は四面立体包装方法を提供することを第２の目的としてなされたものである。
【発明の開示】
【０００３】
前記第１の目的は、四面立体袋体が、第１側面シーム又は第１側面折り曲げ部、前記第１側面シーム又は前記第１側面折り曲げ部に対向する第２側面シーム又は第２側面折り曲げ部、前記袋体の上辺部内面に設けられたファスナー、及び前記ファスナーに対向して前記袋体の開口した下部側面によって形成され、前記開口した下部側面を封止して、前記袋体に前記ファスナーと直交する方向に第３側面シームを形成した四面立体包装体によって達成される。
このとき、四面立体形状の保形性の向上は、第１側面シーム及び第２側面シームを熱融着で封止し、その剛性を高めることにより達成される。
又、前記の四面立体包装体に食物を収納し包装する方法は、四面立体袋体が、第１側面シーム又は第１側面折り曲げ部、前記第１側面シーム又は前記第１側面折り曲げ部に対向する第２側面シーム又は第２側面折り曲げ部、前記袋体の上辺部内面に設けられたファスナー、及び前記ファスナーに対向して前記袋体の開口した下部側面によって形成され、前記開口した下部側面を封止して、前記袋体に前記ファスナーと直交する方向に第３側面シームを形成し、前記ファスナーを開封して包装物を前記袋体に挿入し、前記包装物を前記袋体に四面立体状態で包装した四面立体包装方法によって達成される。
前記第２の目的は、指で引き裂き可能な第１側面シームと、指で引き裂き可能な第２側面シームと、上辺部内面に設けられ自然状態で直線状に復元する弾性のファスナーとを有し、このファスナーと直交する方向に下方を開放した下部側面を密封封止した四面立体包装体によって達成される。
又、簡単に食物を収納し包装する方法は、指で引き裂き可能な第１側面シームを熱融着し、指で引き裂き可能な前記第１側面シームに対向する第２側面シームを熱融着し、上辺部内面に自然状態で直線状に復元する弾性のファスナーを融着し、更に、このファスナーに対向して下方に開放する下部側面を有する平袋を構成し、開放した底辺から食物等の内容物を収納した後に、前記ファスナーに対して直交する方向に前記下部側面を熱融着等により密封するようにして食品等を立体包装した四面立体包装方法によって達成される。
前記本発明の構成及び方法に基づく第１の効果は、ファスナーを開封して内容物の一部を取り出した後、ファスナーを閉止したときに、再び初期の四面立体形状に容易に保持して封止することができ、収納された食物等の潰れを防止し、新鮮さを保持することができる四面立体包装体又は四面立体包装方法を提供することでできる。
加えて本発明の第２の効果は、指で引き裂き可能な第１側面シームと指で引き裂き可能な第２側面シームを切り裂き開封することにより、そのまま皿として使用することを選択し、小出しにし、食べ残しの食物をそのまま四面立体包装で保存することを選択して使用できる四面立体包装体又は四面立体包装方法を提供することができる。
【図面の簡単な説明】
【０００４】
第１図は、本発明の一実施例の四面立体包装体を構成する平袋体の製造するファスナーを有するシートの平面図、第２図は、平袋体を製造するファスナーを有するシートの折り曲げ図、第３図は、ファスナーを有するシートの完全な折り曲げ図、第４図は、第３図のＩＶ―ＩＶ線に沿ったファスナーを有するシートの断面図、第５図は、本発明の一実施例の四面立体包装体として供される袋体の平面図、第６図は、第５図の袋体を逆さにした四面立体包装体の斜視図、第７図は、袋体のファスナーを下方に位置させた四面立体包装体の斜視図、第８図は、袋体のファスナーを上方に位置させた四面立体包装体の斜視図、第９図は、袋体のファスナーの上方端を引き裂いた四面立体包装体の説明図、及び第１０図は、袋体のファスナーを開封した四面立体包装体の説明図である。
【発明を実施するための最良の形態】
【０００５】
以下、本発明の一実施例である四面立体包装体の構成とその製造工程及び包装方法等について詳細に説明する。
本発明の一実施例である四面立体包装体の袋体は、最初は平袋体から構成される。まず、平袋体の製造工程の一例を第１図、第２図及び第３図に基づいて説明する。
第１図は、本発明の一実施例の四面立体包装体を構成する平袋体の製造するファスナーを有するシートの平面図である。第１図において、シートＳＨは、透明、半透明、或いは不透明のプラスチックシートである。又、シートＳＨは、ラミネートシートや紙シートでも良い。
シートＳＨの寸法は、縦が６０ｃｍ、横が２５ｃｍ、厚さが３０〜５０μｍである。このシートＳＨは、ポリプロピレン、ポリエチレンテレフタレート等自然に易しい材料のほか、塩化ビニール等で形成され、ロール状に巻かれたシートから前記寸法に適宜裁断して使用する。
第１図に示す平袋体の製造工程において、シートＳＨは内部にレール状のファスナーｆｓを有している。ファスナーｆｓは、凹条紐体ｆｓ１と凸条紐体ｆｓ２で構成される。シートＳＨは長手方向中心線ｃ１を有している。このシートＳＨの中心線ｃ１から左方向に距離ｓだけ離れた位置に、ファスナーｆｓの凹条紐体ｆｓ１がファスナーｆｓのシートＳＨに熱融着されている。
同様に中心線ｃ１から右方向に距離ｄ１だけ離れた位置には、ファスナーｆｓの凸条紐体ｆｓ２がシートＳＨに熱融着されている。凸条紐体ｆｓ２は凹条紐体ｆｓ１に挿入され、或いは離脱される。開封と閉止する凸条紐体ｆｓ２を熱融着する。ファスナーｆｓの長さはシートＳＨの幅と同等の長さか、シートＳＨの幅より若干短い。
第２図は、平袋体を製造するファスナーを有するシートの折り曲げ図である。シートＳＨは中心線ｃ１で折り返し、折り曲げられる。シートＳＨは、シートＳＨの中心線ｃ１の両側に、上方側（表側）シートｓｈ１と下方側（裏側）シートｓｈ２で構成されている。
第３図は、ファスナーを有するシートの完全な折り曲げ図である。第３図において、シートＳＨが折り返し、折り曲げられた後は、折り返えされたシートＳＨの上方から圧力を加え、ファスナーｆｓの凸条紐体ｆｓ２が凹条紐体ｆｓ１に押し込まれ、挿入される。
第４図は、第３図のＩＶ―ＩＶ線に沿ったファスナーを有するシートの断面図である。
第４図において、ファスナーｆｓの凸条紐体ｆｓ２が凹条紐体凸条体ｆｓ１に押し込まれ、挿入され、ファスナーｆｓは封止され、ファスナーｆｓはシートＳＨに熱融着方法で固定される。第４図において、ファスナーｆｓは指の力で閉止され、ファスナーｆｓは指で引き出して開封される。ファスナーｆｓは指の力で閉じられ、指で引き出して開かれる。
第５図は、本発明の一実施例の四面立体包装体として供される袋体の平面図である。熱融着をするとき、シートＳＨやファスナーｆｓに印加する電磁誘導加熱や超音波加熱エネルギーの時間や、熱融着部分の幅等を調整することにより、熱融着部分を弱くして切り裂き可能にし、或いは熱融着部分を強くして切り裂きを困難にすることができ、使用状態に応じて選択できる。
第５図において、平袋体ＢＧは、左側面シーム（第１側面シーム）１１と右側面シーム（第２側面シーム）１２で構成されている。左側面シーム１１は辺Ａ―Ｂで示される。右側面シーム１２は左側面シーム１１の対向面に設けられ、辺Ｃ―Ｄで示される。この左側面シーム１１と右側面シーム１２は、平袋体ＢＧの折り曲げ部（第１折り曲げ部と第２折り曲げ部）としてそれぞれ形成することができる。
左側面シーム１１と右側面シーム１２はそれぞれ、左側面シーム１１と右側面シーム１２を引き裂いて開封することを目的とする場合は、弱い熱融着方法で形成する。しかしながら、左側面シーム１１と右側面シーム１２はそれぞれ、左側面シーム１１と右側面シーム１２の引き裂きを目的としない場合は、強い熱融着方法で形成する。
左側面シーム１１と右側面シーム１２は、超音波や電磁誘導波による熱融着のほか、ニクロム線に代表される熱線方法による封止も可能である。
左側面シーム１１と右側面シーム１２は、素材のシートよりも部分的に極端に薄くして筋条（線条、紐条）に形成される。更に、左側面シーム１１と右側面シーム１２は、シート素材がシームに沿って縦方向に引き裂くことができる方向性を持ったシートでも代用することができる。
左側面シーム１１と右側面シーム１２は、充分な気密性を具備している。しかしながら、左側面シーム１１と右側面シーム１２は、簡単、且つ、確実に開封できるようにするために、封止強度は指で切り裂く程度の弱いものとしている。左側面シーム１１と右側面シーム１２のシール幅を０．２ｍｍ程度、又はそれ以下としたところ、子供でも容易に切り裂くことができる左側面シーム１１と右側面シーム１２が得られた。
平袋体ＢＧは、辺Ｂ−Ｃで示される開口部（開口）した下部側面１３を有している。平袋体ＢＧは、両コーナ部をそれぞれ扇形に切り取って２つの引き裂きガイド１４を形成し、この２つの引き裂きガイド１４は、平袋体ＢＧの左側面シーム１１と右側面シーム１２の間に設けられている。
平袋体ＢＧは、辺Ａ−Ｄで示される上側面折り曲げ部１５で構成され、この上側面折り曲げ部１５は、シート材そのものの中心線ｃ１で折り返して完全な封止箇所としている。この上側面折り曲げ部１５は、第４図の折り返される中心線ｃ１に相当する。
又、上側面折り曲げ部１５とは別に、開放している上辺として、シートＳＨの表側シートｓｈ１と裏側シートｓｈ２の所定の幅ｗ１を熱融着して、上端側面シーム（第４側面シーム）１６が形成されており、この上端側面シーム１６を用いて密封しても良い。上端側面シーム１６は、ファスナーｆｓから上方に設けられ、気密性を確実に高める。
ファスナーｆｓは、上側面折り曲げ部１５から所定の距離だけ隔てて平袋体ＢＧの内面に設けられている。ファスナーｆｓは、気密パックと呼ばれる袋の開口部に使用されているものと同様のものである。気密パックは、冷蔵庫や冷凍庫に食物を保存するために袋の開口部に使用されている。
ファスナーｆｓは、レール状樹脂で形成され、ファスナーｆｓを閉じている状態、開放している状態に拘わらず、自己が有する弾力によって直線状態に復元しようとする作用を有する。平袋体ＢＧは第５図のように完成される。平袋体ＢＧは、封止するファスナーｆｓと左側面シーム１１と右側面シーム１２の２つの熱融着構成による気密性平袋体ＢＧである。
平袋体ＢＧの上辺部には、ファスナーｆｓとその先端縁に上側面折り曲げ部１５を設けているので、ファスナーｆｓの閉塞性が若干損なわれてもシートＳＨの折り返しでなされた上側面折り曲げ部１５が確実に封止し、内容物、とりわけ液状物質も確実に封止され、外部に漏れることはない。
平袋体ＢＧは、左側面シーム１１と右側面シーム１２で上端側面シーム１６とファスナーｆｓの間に２つの三角状切り込み部１７を構成している。この切り込み部１７から平袋体ＢＧの上辺部を上方横方向に切り裂くことにより、上側面折り曲げ部１５と上端側面シーム１６を平袋体ＢＧから切り離すことができる。平袋体ＢＧは、切り込み部１７に直線状切り離し部２０を有しており、この直線状切り離し部２０は、平袋体ＢＧから上端側面シーム１６を切り離し、分離する多数の孔を有している。
切り込み部１７は、単にはさみで切り込みをつける方法、第５図に示すように三角形状に切り込みをつける方法もある。又、切り込み部１７は１個であっても良い。横方向に切り裂き性のあるシートを使用して平袋体ＢＧを構成すれば不要であるが、矢印等の切り裂き箇所を示す印は必要である。
平袋体ＢＧは、縦が３０ｃｍ、横が２５ｃｍである。平袋体ＢＧは、四面立体包装体に変形している。大容量の立体包装体に変形した平袋体ＢＧは、食物を小出しにして食し、残りの食物は四面立体包装体ＰＣで保存することを想定している。
次に、第５図に示した平袋体ＢＧを使用して四面立体包装体ＰＣを形成するための手順及び方法を第６図及び第７図に基づき説明する。
第６図は、第５図の袋体を逆さにした四面立体包装体の斜視図である。第６図において、ファスナーｆｓが確実に閉められており、ファスナーｆｓは下方に位置している。従って、この状態では、上側面折り曲げ部１５は下方に位置し、下部側面１３は上辺開口部１８となる。
この状態で、上部開口部１８を第６図に示すように大きく広げ、ベビーリーフ等の野菜、赤飯、ピラフ等のご飯物、おつまみ等の食物やそのほかの被包装物を収納する。被収納物としては、プラスチックモデルの部品やネジ等の小物等が考えられ、その種類の品物でも袋体ＢＧに収納できる。
尚、上部開口部１８から四面立体包装体ＰＣに野菜等を投入するときに空気も一緒に流入し封止されるので、四面立体包装体ＰＣの形状が保持され、内容物が押し潰されたりしないので、四面立体包装体ＰＣは輸送中に損傷してはいけないイチゴやサクランボ、野菜、或いはそれ以外の包装に適している。
第６図において、収納物が上部開口部１８から袋体ＢＧに収納された後、引き裂きガイド１４に設けた左角部Ｂは引き裂きガイド１４に設けた右角部Ｃに合わせ、接合される。開口下部側面１３の角部Ｂは、開口下部側面１３の角部Ｂに対向した角部Ｃに合わせ、接合される。
開口下部側面１３は、所定の広幅側面シーム（第３側面シーム）１９で封止される。広幅側面シーム１９は、ファスナーｆｓにほぼ直交して平袋体ＢＧに設けられる。従って、トラス状立体構成の四面立体包装体ＰＣが得られる。
開口下部側面１３の左角部Ｂと開口下部側面１３の右角部Ｃは合わせ、接合される。このとき開口下部側面１３は、開口を有しない下部側面となる。開口を有しない下部側面は、広幅側面シーム（第３側面シーム）１９で封止される。
広幅側面シーム１９のシール幅は１０ミリメートル程度とし、広幅側面シーム１９は確実に封止し、広幅側面シーム１９の一部から指等では開封困難な強さとしている。広幅側面シーム１９は、袋体ＢＧの四面立体構成を維持する。広幅側面シーム１９の熱封止方法には種々の方法があり選択的に採用される。
第７図は、袋体のファスナーを下方に位置させた四面立体包装体の斜視図である。第７図において、４つの角部である角部Ｅ、角部Ｆ、角部Ｇ、角部Ｈを含む４つの側面を有する広幅側面シーム１９がトラス構成で得られた。四面立体包装体ＰＣの袋体ＢＧは、広幅側面シーム１９を有し、広幅側面シーム１９は熱融着方法で形成される。四面立体包装体ＰＣにおいて、広幅側面シーム１９は袋体ＢＧのファスナーｆｓに対し直交している。
袋体ＢＧを封止する際に、炭酸ガス等を封入すれば、野菜の鮮度を長期間維持することができ、輸送に数日要するものにも容易に適用できる。収納物に応じて封入するガスを変えることもできる。
第８図は、袋体のファスナーを上方に位置させた四面立体包装体の斜視図である。四面立体包装体ＰＣは四面立体形状で、トラス状四面立体包装体を構成している。四面立体包装体ＰＣは、上部にファスナーｆｓ、左側面シーム（第１側面シーム）１１と右側面シーム（第２側面シーム）１２、広幅側面シーム（第３側面シーム）１９及び上側面シーム（第４側面シーム）１６からなる四面立体袋体ＢＧを有している。広幅側面シーム１９は、ファスナーｆｓに対しほぼ直交方向に形成されている。
次に、食物等を収納した四面立体包装体ＰＣを開封し、食する場合について説明する。
第９図は、四面立体包装体の説明図で、ファスナーｆｓを開封し、切り欠き部１７から切り裂きガイド２０の孔に沿ってファスナーｆｓの上方端を引き裂いている。
まず、普通に食したいときは、ファスナーｆｓを開けて収納された食物を所望の量だけ四面立体包装体ＰＣから取り出し食すればよい。食物が残った場合は、再びファスナーｆｓを閉じて四面立体包装体ＰＣを冷蔵庫等に保存する。
ファスナーｆｓは比較的硬化で直線状に成形されているので、開封等のため外力により湾曲させても外力を開放すると元の直線状体態に復元するように作用する。この復元力は、開封しているときも同様であり、ファスナーｆｓ部は常に下方側面１３に対して直角に維持しようと作用している。
すなわち、シートＳＨに対して比較的合成の高いファスナーｆｓを設ければ、ファスナーｆｓが自動的に保形する。四面立体包装体ＰＣを再び封止するとき空気が自然に四面立体包装体ＰＣの中に流入し、空気が満たされた状態で四面立体を維持できる。
又、このとき、他よりも剛性が強い左側面シーム１１と右側面シーム１２は四面立体形状を保持するための補強リブ（支柱）の機能を果たし、四面立体形状の崩れを防止している。従って、ファスナーｆｓの開封・封止時に、ファスナーｆｓの協働によって、左側面シーム１１と右側面シーム１２は、四面立体形状の四面立体包装体ＰＣを確実に保持することができる。
いいかえれば、四面立体包装体ＰＣを再封止するときに、四面立体形状の四面立方包装体ＰＣに自然に保形されるため、新規に空気を四面立方包装体ＰＣに吹き込む必要がなく、四面立方包装体ＰＣを四面立方形状に容易に維持できる。
これにより、食後に空気が充分に充填された四面立体包装体ＰＣが再現され、その形が維持できるので、内部に収納されたベビーリーフやその他の食物が潰れることがなくなり、鮮度を保持しつつ保存できる。これは、従来の平袋では達成できない効果である。以上が、主として第１の効果を達成するための具体的構成である。
次に、前記構成に基づいて第２の効果を達成する具体例を説明する。収納された食物の全部を一度で食する場合は、左側面シーム１１と右側面シーム１２を引き裂いて、引き裂きガイド１４（角部Ｂ及び角部Ｃ）から左側面シーム１１と右側面シーム１２に沿って引き裂いて開封する。このとき左側面シーム１１と右側面シーム１２は、ファスナーｆｓを熱融着した部分の角部Ｇ及角部Ｈに位置させられる。
第７図において、左側面シーム１１と右側面シーム１２は引き裂かれている。四面立方包装体ＰＣは皿状を呈している。すなわち、四面立方包装体ＰＣは食器として供することができる。
開封後は、四面立方包装体ＰＣ自身が食器として機能するので、食するための食器等を別に用意する必要もない。一方、ＷＯ２００７／１１９７８０Ａ１号特許公報に示される従来の四面立方包装体では、一旦引き裂き開封すると再び密封することできないので、残った食物がある場合は、捨てるか、あるいは別の容器に移し替えて保存する必要があり、勿体無いと同時に面倒である。
第１０図は、袋体のファスナーを開封した四面立体包装体の説明図である。本発明によれば、使用者が何回かに分けて食したい場合は、四面立方包装体ＰＣをひっくり返し、ファスナーｆｓが上方になるようにする。ついで第９図のように、切り込み部１７から横方向に切り裂いて、上側面折り曲げ部１５と上端側面シーム１６を切り離し、ファスナーｆｓが臨めるようにする。
この状態で上側面折り曲げ部１５と上端側面シーム１６が切り離なされ、本発明の四面立方包装体ＰＣでは、ファスナーｆｓが臨め、第１０図のようにファスナーｆｓを開封すれば、必要な量の食物等を取り出し、食することができる。残りの食物については、ファスナーｆｓを再び閉め密閉し、冷蔵庫等に保存すればよい。
このように本発明によれば、四面立方包装体ＰＣにおいて、食する状態に応じて開封方法を選択することができ、とりわけ開封したときに食器の機能を有する大容量の四面立体包装体ＰＣにおいて効果的である。
【図１】
0005965315.tif 000002
【図２】
0005965315.tif 000003
【図３】
0005965315.tif 000004
【図４】
0005965315.tif 000005
【図５】
0005965315.tif 000006
【図６】
0005965315.tif 000007
【図７】
0005965315.tif 000008
【図８】
0005965315.tif 000009
【図９】
0005965315.tif 000010
【図１０】
0005965315.tif 000011